(57)【要約】  この発明は、ホルダのフォーク上に２つの回動可能部分を装着するためにスイングボルト構造を用い、相対的に付勢力を受けて回動可能部分同士をクランプし合わせるための工具に関する。当該スイングボルト構造は、第１の外端部上に拡張部分を備え、もう一方の外端部上に第１の締付け手段を備えたスイングボルトと、当該スイングボルトの当該もう一方の端部上の第１の締付け手段にナットを締付けるための第２の締付け手段を備えるナットとを含む。スイングボルトの拡張部分およびナットは、所望の付勢力を受けて回動可能部分同士をクランプするために使用中に当該２つの回動可能部分に当接するように形成される。
2008530478.tif 000002
【特許請求の範囲】
【請求項１】
相対的に付勢力を受けて回動可能部分同士をクランプし合わせるための工具であって、
フォークを備えたホルダを含み、前記フォークの外端部の各々は開口部を備え、前記工具はさらに、
前記フォークの端部間に装着可能であり、それらの回動点の位置に開口部を備える２つの回動可能部分と、
前記ホルダの前記フォーク上に前記２つの回動可能部分を装着する目的で、前記フォークおよび前記２つの回動可能部分における開口部に配置されるスイングボルト構造とを含み、前記スイングボルト構造は、
第１の外端部上に拡張部分を備え、もう一方の外端部上に第１の締付け手段を備えたスイングボルトと、
ナットとを含み、前記ナットは、前記スイングボルトの前記もう一方の端部上における前記第１の締付け手段に前記ナットを締付けるための第２の締付け手段を備え、
前記スイングボルトの前記拡張部分および前記ナットは、使用中、所望の付勢力を受けて前記２つの回動可能部分同士をクランプするために前記２つの回動可能部分に当接するように形成される、工具。
【請求項２】
前記スイングボルトの前記拡張部分および前記ナットは、使用中、前記フォークの外端部の方に向けられた前記２つの回動可能部分の側部に直接当接する、請求項１に記載の工具。
【請求項３】
前記第１および第２の締付け手段は、それぞれ、雌ねじのねじ山および雄ねじのねじ山を含む、請求項１または２に記載の工具。
【請求項４】
前記スイングボルトの前記拡張部分および／または前記ナットは、前記２つの回動可能部分上に直線的な接触面を形成する目的で、少なくとも部分的に直線的な部分を含む、請求項１から３のいずれかに記載の工具。
【請求項５】
前記スイングボルトの前記拡張部分および／または前記ナットは、前記２つの回動可能部分上に傾斜した接触面を形成する目的で、少なくとも部分的に円錐形の部分を含む、請求項１から３のいずれかに記載の工具。
【請求項６】
前記スイングボルトはスイングボルト頭部を含み、その少なくとも一部は非円筒形の外形を有し、その形状は、前記ホルダの前記フォークにおける関連する開口部において回転不可能に嵌合する、請求項１から５のいずれかに記載の工具。
【請求項７】
前記２つの回動可能部分は、前記フォークの外端部の方に向けられた側部上に少なくとも部分的に円錐形の部分を含む、請求項１から６のいずれかに記載の工具。
【請求項８】
それぞれの前記円錐形の部分は、傾斜した接触面が前記スイングボルト構造と前記２つの回動可能部分との間に設けられるように互いと一致する、請求項５に記載の工具。
【請求項９】
前記スイングボルト構造をロックするためのロッキング手段を含み、前記ロッキング手段は前記スイングボルト構造に配置される、請求項１から８のいずれかに記載の工具。
【請求項１０】
前記スイングボルト構造の前記ナットをロックするためのロッキング手段を含み、前記ロッキング手段は、
締付け手段を備えた前記スイングボルトの外端部上に配置される突出た部分と、
前記スイングボルトの前記突出た部分に回転不可能に締付けられ得る第１のロッキング
リングとを含み、前記ロッキングリングは外歯を備え、前記ロッキング手段はさらに、
前記ナットに回転不可能に締付けられ得、前記ナットと前記第１のロッキングリングとの間に配置され得る第２のロッキングリングを含み、前記第２のロッキングリングは、前記第１のロッキングリングの前記外歯に係合し得る内歯を備える、請求項１から９のいずれかに記載の工具。
【請求項１１】
前記歯は、比較的小さな角変位間隔（Δα）で前記スイングボルトに対する前記ナットのロックを可能にするよう形成される、請求項１０に記載の工具。
【請求項１２】
前記第２のロッキングリングは、（Ｘ２）個の回転位置での前記ナットへの締付けを可能にするよう適合される、請求項１０に記載の工具。
【請求項１３】
前記第１および第２のロッキングリングの歯の数（Ｎ）は、ｋ＋複数の前記（Ｘ２）個の回転位置に等しく、ｋは整数であり、−Ｘ２／２＜ｋ＜＋Ｘ２／２である、請求項１２に記載の工具。
【請求項１４】
前記歯の数（Ｎ）はｋ＋複数のＸ２に等しく、ｋは整数であり、−Ｘ２／２＜ｋ＜＋Ｘ２／２である、請求項１３に記載の工具。
【請求項１５】
前記ロッキング手段における遊び（Ｓ度）は、３６０／（ｋ*Ｎ*Ｘ２）度以上である、請求項１２から１４のいずれかに記載の工具。
【請求項１６】
前記第２のロッキングリングは、組立てられた位置において前記ナットから突出る少なくとも１つの突起を含む、請求項１０から１５のいずれかに記載の工具。
【請求項１７】
前記突出た部分は、それが、前記第１のロッキングリングを前記スイングボルトに回転不可能に締付けるために前記第１のロッキングリングに設けられた１つ以上の対応する内側の凹部に嵌合するように形成される、請求項１０から１６のいずれかに記載の工具。
【請求項１８】
前記ナットは凹部の列を備え、そこに、前記第２のロッキングリング上に設けられた外側の突出部が係合して、予め定められた（Ｘ２）個の位置で前記第２のロッキングリングを前記ナットに回転不可能に締付けることを可能にする、請求項１０から１７のいずれかに記載の工具。
【請求項１９】
前記突出部は前記第２のロッキングリングの周辺面に設けられ、前記凹部は前記ナットの周辺端縁に設けられ、前記突出部は組立てられた位置において前記ナットの外側に突出る、請求項１８に記載の工具。
【請求項２０】
カバー要素は、前記フォークの前記外端部における開口部にわたって配置され得る、請求項１から１９のいずれかに記載の工具。
【請求項２１】
前記スイングボルトの前記外端部は、使用中に前記カバー要素を前記スイングボルトのそれぞれの外端部に締付けるための締付け手段を備える、請求項２０に記載の工具。
【請求項２２】
液圧駆動手段が前記ホルダに設けられ、前記２つの回動可能部分上に装着されて前記部分の動きをもたらす、請求項１から２１のいずれかに記載の工具。
【請求項２３】
前記工具は１対の液圧剪断機であり、その回動部分は剪断ブレードによって形成される、請求項１から２２のいずれかに記載の工具。
【請求項２４】
前記工具は液圧延展機であり、その２つの回動可能部分は延展機要素によって形成される、請求項１から２３のいずれかに記載の工具。
【請求項２５】
一体的にロックされた状態のスイングボルト構造であって、
スイングボルトと、
前記スイングボルトの外端部の端面上に設けられた突出た部分と、
前記スイングボルトの前記外端部に締付けられ得るナットと、
前記スイングボルトの前記突出た部分上に回転不可能に装着され得る第１のロッキングリングとを含み、前記ロッキングリングは外歯を備え、前記スイングボルト構造はさらに、
前記ナット上に回転不可能に装着され得、前記ナットと前記第１のロッキングリングとの間に配置され得る第２のロッキングリングを含み、前記第２のロッキングリングは、前記第１のロッキングリングの外歯に係合し得る内歯を備える、スイングボルト構造。
【請求項２６】
前記歯は、比較的小さな角変位間隔（Δα）で前記スイングボルトに対する前記ナットのロックを可能にするよう形成される、請求項２５に記載のスイングボルト構造。
【請求項２７】
前記第２のロッキングリングは、（Ｘ２）個の回転位置での前記ナットへの締付けを可能にするよう適合される、請求項２６に記載のスイングボルト構造。
【請求項２８】
前記第１および第２のロッキングリングの歯の数（Ｎ）は、ｋ＋複数の前記（Ｘ２）個の回転位置に等しく、ｋは整数であり、−Ｘ２／２＜ｋ＜＋Ｘ２／２である、請求項２５から２７のいずれかに記載のスイングボルト構造。
【請求項２９】
前記歯の数（Ｎ）は、１＋複数のＸ２、または、−１＋複数のＸ２に等しい、請求項２８に記載のスイングボルト構造。
【請求項３０】
前記ロッキング手段における遊び（Ｓ度）は、３６０／（ｋ*Ｎ*Ｘ２）度以上である、請求項２５から２９のいずれかに記載のスイングボルト構造。
【請求項３１】
前記第２のロッキングリングは、組立てられた位置において前記ナットから突出る少なくとも１つの突出た部分を含む、請求項２５から３０のいずれかに記載のスイングボルト構造。
【請求項３２】
前記スイングボルトの前記突出た部分は、それが、前記第１のロッキングリングを前記スイングボルトに回転不可能に締付けるために前記第１のロッキングリングに設けられた１つ以上の対応する内側の凹部に嵌合するように形成される、請求項２５から３２のいずれかに記載のスイングボルト構造。
【請求項３３】
前記ナットは凹部の列を備え、そこに、前記第２のロッキングリング上に設けられた外側の突出部が係合して、予め定められた（Ｘ２）個の位置で前記第２のロッキングリングを前記ナットに回転不可能に締付けることを可能にする、請求項２５から３２のいずれかに記載のスイングボルト構造。
【請求項３４】
前記突出部は前記第２のロッキングリングの周辺面に設けられ、前記凹部は前記ナットの周辺端縁に設けられ、前記突出部は組立てられた位置において前記ナットの外側に突出る、請求項３３に記載のスイングボルト構造。
【請求項３５】
請求項１から３４のいずれかに記載の工具またはスイングボルト構造の使用。
【発明の詳細な説明】
【技術分野】
【０００１】
この発明は、相対的に付勢力を受けて回動可能部分同士をクランプし合わせるための工具に関する。この発明はまた、たとえば当該工具に適用されるように、一体的にロックされた状態のスイングボルト構造に関する。
【背景技術】
【０００２】
このような工具の例として液圧剪断機が挙げられる。これは、中でも、たとえば自動車事故、都市環境における捜索および救助、産業上の利用ならびに鉄道事故の場合に自動車、列車、船などの物体を切開するための十分な切断力を備えた剪断機を意味するものと理解される。液圧剪断機の場合、当該剪断機の回動可能部分（ブレードとも称される）は、外部または内部から駆動される液圧シリンダによってずらされ、これにより、非常に大きな切断力を関連する物体に加えることができる。このような工具の別の例として、物体の部品を押圧してばらばらにすることのできる液圧延展機が挙げられる。このような工具の別の例として、複合型の剪断機および延展機が挙げられる。
【０００３】
スイングボルト構造はこれらすべての工具に適用されて、上述の相互に回動可能な部分同士が中央の回動点を中心として回転することを可能にしつつ、同時に、可動部分同士をクランプして、所定の付勢力を受けてこれらを保持するようにする。付勢力が重要であるのは、それが主として、工具の有効性および構成要素の工具寿命を決定するからである。
【０００４】
一般に適用される構造においては、可動部分同士がフォーク状の構造の中でスイングボルトを中心として回転し、当該スイングボルトは外端部上にねじ山を備え、そこにナットがねじ留めされる。可動部分同士を押し合わせ、これにより付勢力を受けて当該可動部分同士を保持することはこの態様で実施される。次いで、フォーク状の構造および回動可能部分が互いにクランプされる。しかしながら、この公知の構造にはいくつかの欠点がある。
【発明の開示】
【発明が解決しようとする課題】
【０００５】
ナットおよびボルト頭部に高さがあるため、結果として、工具の側部にかなり大きな突出た部分が生じることとなる。突出た部分が比較的大きいので、特に、物体において、または当該物体付近においてごくわずかな空間しか利用できない場合、工具を操作することが困難になる。
【０００６】
さらなる欠点は、可動部分（剪断ブレードまたは延展機アーム）の回転方向に応じて、スイングボルトおよび／またはナット上に結果として大きな半径方向力が発生し、これにより、ナット自体がきつく締まるかまたは緩む可能性がある。この結果、付勢力が増大するかまたは失われる。このようにして付勢力を失うことで、工具の動作に非常に不利な影響が及ぼされる可能性がある。したがって、スイングボルト構造が付勢力を失うのを防ぐためにロッキングが必要となる。したがって、多くの場合、ボルト頭部は、特別の凹部にぴったりと嵌合し、このため同時に回転できなくなるように形成される。このような構造では、スイングボルトのナットはまた、不所望な緩みを防止するためにロックされなければならない。これは、たとえば、第１のナットの上に第２のナットをねじ留めするか、または、いわゆるロッキングナット、ロッキングプレートもしくはロッキングリングを用いることによって解決される。
【０００７】
このような力吸収式のロッキング構造の欠点は、それが摩擦によってその効果を獲得し
、大きな軸方向の力が回動構造に発生すると直ちにその効果を失うおそれがあることである。起り得る変形が原因で遊びが生じ、この結果、付勢力が失われてしまう。この種類のロッキング構造はさらに振動の影響を受けやすく、ロッキングリングはたとえば、硬化された部品の場合にはさほど適していない。これらの通常のロッキング構造の別の欠点は、良好な動作に必要な摩擦がまた、ナットに加えられるトルクの一部を用いるので、実際の付勢力のために有効に残される部分が小さくなることである。さらに、特別の工具を用いてナットが緩められる場合にどんな付勢力が残されるかを客観的に監視することができなくなる。摩擦力は、緩められる前には、実際に加えられるトルクよりも高い値を常に有することとなる。
【０００８】
既存のロッキング構造のさらなる欠点は、このような構造がかなりの付加的な高さを必要とし、これにより、限られた空間での作業がより困難になることである。
【０００９】
公知の工具のさらに他の欠点は、しばしば、回動可能部分同士上でいわゆるホルダをクランプすることによって、すなわち、当該工具のホルダのフォークをクランプすることによって、回動可能部分同士をクランプし合わせるが、この場合、回動可能部分同士、たとえば延展機要素同士または剪断ブレード同士が当該フォーク上に回転可能に装着されることである。したがって、ボルト頭部およびナットがホルダに及ぼす力が回動ブレードに伝達される。スイングボルトにおける極度の軸方向の負荷は、とりわけ、構造的に強固な物体の切断中に離れていく剪断ブレードによって引起こされるものであるが、結果として、上述のホルダの材料における応力を不均衡に分散させることとなり、この結果、スイングボルト構造のナットおよびボルト頭部にも不均衡に負荷がかけられてしまう。これによりボルトが破損するおそれがある。例外的な場合、スイングボルト構造の構成要素は、ホルダ、スイングボルト、ヒンジナットおよび任意のロッキングプレートまたはロッキングリングにおいて蓄積された運動エネルギのために過負荷破損が起り得る場合、外れてしまう可能性があり、これにより、工具のオペレータや場合によってはすぐ近くにいる人に危険を及ぼすおそれがある。
【００１０】
この発明の目的は、公知の工具または公知のスイングボルト構造の上述の欠点のうち少なくとも１つを回避することである。
【００１１】
この発明のさらなる目的は、スイングボルト構造の破損時にユーザおよび場合によっては近くにいる人に及ぶ危険を低減させるコンパクトで軽量な工具を提供することである。
【課題を解決するための手段】
【００１２】
この発明の第１の局面に従うと、この目的のために、相対的に付勢力を受けて回動可能部分をクランプし合わせるための工具が提供される。当該工具は、
・フォークを備えたホルダを含み、当該フォークの外端部の各々は開口部を備え、当該工具はさらに、
・当該フォークの端部間に装着可能であり、それらの回動点の位置に開口部を備える２つの回動可能部分と、
・ホルダのフォーク上に回動可能部分同士を装着する目的で、フォークおよび回動可能部分同士の開口部に配置されるべきスイングボルト構造とを含み、当該スイングボルト構造は、
・第１の外端部上に拡張部分を備え、もう一方の外端部上に第１の締付け手段を備えたスイングボルトと、
・ナットとを含み、当該ナットは、当該スイングボルトの当該もう一方の端部上における第１の締付け手段に当該ナットを締付けるための第２の締付け手段を備え、
スイングボルトの拡張部分およびナットは、所望の付勢力を受けて回動可能部分同士をクランプするために、使用中に回動可能部分同士に当接するように形成される。
【００１３】
これにより、回動可能部分同士は、選択的に、たとえばホルダのフォークを介在させずに直接クランプし合される。その第１の利点は、このスイングボルト構造を非常にコンパクトな形にすることができ、このため軽量にすることもできることである。スイングボルト構造のスイングボルトおよびナットはともに、工具のホルダのフォークの内部に留まるので、実質的には突出た部分がもはや存在せず、限られた空間での工具の取扱いが容易になる。
【００１４】
第１の好ましい実施例に従うと、スイングボルトの拡張部分およびナットは、使用中、フォークの外端部の方に向けられる回動可能部分同士の側部に直接的に当接する。この好ましい実施例においては、一方ではスイングボルトとナットとの間、他方では回動可能部分同士の間には部品は配置されない。これにより、当該スイングボルト構造は、スイングボルトおよびナットが間接的な態様で回動可能部分同士に当接している実施例におけるよりもはるかにコンパクトで軽量な形状にすることができる。
【００１５】
さらなる好ましい実施例においては、スイングボルト上に非円筒形が配置され、この形状はホルダのフォークにおける凹部と一致しているので、スイングボルト自体は回転不可能となる。ナットは、当然、付勢力を回動可能部分同士に伝達するために回転可能でなければならない。拡張部分は、さらに、遊びをいくらか考慮に入れつつホルダのフォークおよび回動可能部分同士が互いに保持されるように、スイングボルトおよびナットの両方の上に配置される。
【００１６】
別の好ましい実施例に従うと、スイングボルトの拡張部分および／またはナットは、傾斜した接触面を回動可能部分同士上に形成する目的で、少なくとも部分的に円錐形の部分を含む。スイングボルトおよびナットがこのように円錐形であるので、一方上のスイングボルトまたはナットと、他方上の回動可能部分同士との間における接触面同士の有する傾斜が進行し、力の２つの有効な線の間における有効距離がより長くなり、結果として、同じ力で、より大きな保持トルクが回動可能部分同士上にもたらされることとなる。
【００１７】
この発明のさらなる好ましい実施例に従うと、当該工具はスイングボルト構造をロックするためのロッキング手段を含む。当該ロッキング手段はスイングボルト構造内に配置される。これは、たとえば、上述のとおりナット上で第２のロッキングナットを用いる場合と同様に、スイングボルトおよびナット自体の外側にロッキング手段がさほど突出ないか、または全く突出ないことを意味するものと理解される。これにより、ロッキングリングの位置にあり、限られた空間では工具の扱いやすさを低減させることとなる過度に突出た部分をスイングボルト構造が有するのを防ぐことができる。
【００１８】
さらなる好ましい実施例に従うと、当該工具は、スイングボルト構造のナットをロックするためのロッキング手段を含み、当該ロッキング手段は、
・締付け手段を備えたスイングボルトの外端部上に配置される突出た部分と、
・当該スイングボルトの突出た部分に回転不可能に締付けられ得る第１のロッキングリングとを含み、当該ロッキングリングは外歯を備え、当該ロッキング手段はさらに、
・ナットに回転不可能に締付けられ得、ナットと第１のロッキングリングとの間に配置され得る第２のロッキングリングを含み、当該第２のロッキングリングは、第１のロッキングリングの外歯に係合可能な内歯を備える。
【００１９】
第２のロッキングリングを正確な態様で配置し、その外歯が第１のロッキングリングの内歯に係合することを可能にすることにより、ナットが正確な所定の付勢力をもたらすに至ると、ロッキングを確実にすることができる。
【００２０】
さらなる好ましい実施例においては、当該歯は、ナットが、比較的小さな角変位間隔（Δα）でスイングボルトに対してロックされ得るように形成される。この変位間隔は、好ましくは、１°〜５°、好ましくは１°〜３°の角変位間隔（Δα）などのように可能な限り小さくされる。この態様で歯を形成することにより、ナットを回転させる必要がなくなり、スイングボルト構造が正確な付勢力をもたらした場合、良好なロックがさらに確実にされる。
【００２１】
さらにより好ましい実施例においては、第２のロッキングリングは、予め定められた数の回転位置でのナットへの締付けを可能にするよう適合される。ロッキング手段における遊び、すなわち、スイングボルト上の突起と両方のロッキングリングとナットとの間における遊び（この遊びはロッキングリングの容易な配置または取外しを可能にするのに必要である）を用いて、第１および第２のロッキングリングの歯の数が、複数の上述の回転位置の数とは異なること、さらに、値３６０／（歯の数*回転位置の数）が上述の遊びよりも小さくなることが確実にされた場合、発生する歯のオフセットの結果として、ナットの実質的に任意のランダムな位置に、従って、ナットをスイングボルトにロックするための所望の付勢力で、ロッキングリングを配置することができる。
【００２２】
構造的に有利な実施例においては、スイングボルトの突出た部分は、それが、第１のロッキングリングをスイングボルトに回転不可能に締付けるために第１のロッキングリングに設けられた１つ以上の対応する内側の凹部に嵌合するように、形成される。
【００２３】
さらなる好ましい実施例に従うと、当該ナットは凹部の列を備え、そこに、第２のロッキングリング上に設けられた外側の突出部が係合して、いくつかの位置で第２のロッキングリングをナットに回転不可能に締付けることを可能にし得る。第２のロッキングリングが、組立てられた位置でナットから突出る少なくとも１つの突起を含む場合、たとえば、当該突出部が第２のロッキングリングの周辺面に設けられ、凹部がナットの周辺端縁に設けられ、突出部が組立てられた位置でナットの外側に突出る場合、第２のロッキングリングを手動で容易に取外すことができる。さらなる利点は、第２のロッキングリングが存在する限り、たとえば多角形のソケットレンチなどの手工具を用いてもナットを緩めることができなくなることである。これは、まずロッキングリングを取外してから次にナットを緩めることができるといった論理的順序を必要とする。
【００２４】
この発明のさらなる好ましい実施例に従うと、カバー要素が、フォークの外端部における開口部にわたって配置され得る。当該カバー要素は、中でも、極度な軸方向の過負荷に起因する破損の結果としてスイングボルト構造の部品が場合によっては外れてしまうのを防ぐ機能を有する。この機能により、オペレータや近くにいる人が負傷する可能性が大いに低減される。カバー要素のさらなる機能は、水分または場合によっては泥がスイングボルト構造に浸透する可能性をさらに低減させるように、外界からスイングボルト構造を保護することである。
【００２５】
さらなる好ましい実施例においては、スイングボルトの外端部は、使用中にカバー要素をスイングボルトのそれぞれの外端部に締付けるための締付け手段を備える。これにより、カバー要素は工具にロックされ得る。
【００２６】
所定の好ましい実施例においては、カバー要素はたとえば開口部を備え、当該開口部においては、配置された位置においてスイングボルトおよび関連するカバー要素に係合する締付けねじが配置され得る。
【００２７】
この発明の別の局面に従うと、たとえばこの明細書中に記載される工具において、一体的にロックされた状態のスイングボルト構造が設けられる。当該スイングボルト構造は、
・スイングボルトと、
・当該スイングボルトの外端部の端面上に設けられた突出た部分と、
・スイングボルトの当該外端部に締付けられ得るナットと、
・スイングボルトの突出た部分上に回転不可能に装着され得る第１のロッキングリングとを含み、当該ロッキングリングは外歯を備え、当該スイングボルト構造はさらに、
・ナット上に回転不可能に装着され得、ナットと第１のロッキングリングとの間に配置され得る第２のロッキングリングを含み、当該第２のロッキングリングは、第１のロッキングリングの外歯に係合し得る内歯を備える。
【発明を実施するための最良の形態】
【００２８】
この発明のさらなる利点、特徴および詳細を、その好ましい実施例の以下の記載に基づいて説明する。その記載においては添付の図面が参照される。
【００２９】
図１および図２は、この発明に従ったスイングボルト構造の好ましい実施例が配置されている工具の例を示す。当該実施例は、液圧剪断機１に関し、これにより、乗用車、列車、船などの物体が切開され得る。剪断機の種類に応じて、当該剪断機で与えられる切断力は典型的には（ただし非限定的に）１００〜５００ｋＮの間で変動する。他の実施例（図示せず）においては、当該工具は、延展機であるか、または延展機および剪断機の組合せである。これらの実施例においては、延展力は、典型的には（ただし非限定的に）２０ｋＮ〜１００ｋＮの間で変動し得る。
【００３０】
剪断機１は、ホルダを備えたハウジング２を含み、ここでは、２つの圧力ロッドを備えた液圧シリンダ（図示せず）が、剪断ブレードを作動させることのできるような公知の態様で配置される。ホルダの外端部上にはフォーク状の構造が設けられており、その上方端部２０および下方端部１９が図、特に図１および図４に示される。外端部１９、２０は、第１の剪断ブレード５および第２の剪断ブレード６の両側に延在する。剪断ブレード５、６は刃先４を備えており、図示のとおり、スイングボルト構造によって相対的に回動し得る。
【００３１】
剪断ブレード５、６は、開口部９、１０が配置されているそれぞれの突起７、８を含む。開口部９、１０は、そこに液圧シリンダの上述の圧力ロッド（図示せず）を装着するために設けられる。剪断ブレード５、６はさらに開口部２、１１をそれぞれ備え、その中に、上述のスイングボルト構造２５が挿入され得る。剪断ブレード５、６はスイングボルト構造２５に対して回動可能であり、このため、ブレード５、６は、圧力ロッドによって突起７、８にそれぞれ結合される液圧シリンダを作動させることによって開閉させることができる（方向Ｐ1、図１）。
【００３２】
図２および図４は、スイングボルト構造２５のこの好ましい実施例をより詳細に示す。スイングボルト構造２５はスイングボルト２６および関連するナット３２を含む。スイングボルト２６は、直径が比較的小さい長手の本体から構成され、この明細書中ではボルト頭部とも称される拡張要素２７が第１の端部２９上に設けられる。スイングボルト２６における反対側の端部３０上に雄ねじのねじ山３１が設けられており、そこには、ナット３２の内側に設けられた雌ねじのねじ山３３が係合し得る。外端部２９の周縁に沿って、拡張要素２７がわずかに突出たフランジ２８をさらに備え、一方では、ロッキング要素４９とも称される星型の突出た部分４９がスイングボルト２６の反対側の端面に設けられる。
【００３３】
スイングボルト２６の拡張部分２７の外径は、ホルダの下方部分１９における開口部２１の内径と実質的に一致しており、このため、拡張部分２７はその中にぴったりと配置され得る。突出たフランジ２８は、非円筒形、たとえば図１に示される多角形を有しており、これは、ホルダのフォークの外端部１９における開口部の形と一致するので、スイング
ボルト２５はこの外端部１９に対して回転できない。ナット３２の外径は、同様に、ホルダの上方部分２０に設けられている開口部２２の内径に対応する。結果として、拡張部分２７の外周部およびナット３２の外周部は、（図４に図示のとおり）組立てられた状態ではホルダの下方部分１９および上方部分２０のそれぞれの内面に当接することとなる。上述のとおり、長手の本体部分２６は、それぞれの剪断ブレード５、６における開口部１１および２の直径と同等のより小さな直径を有する。これは、組立てられた状態では、長手の部分２６の外周部が、上述の開口部１１および２の内側に当接することを意味する。
【００３４】
スイングボルト２５が下方（Ｐ2）から挿入された場合に突抜け過ぎるのを防ぐために、スイングボルトのフランジ２８は、ホルダの下方部分１９における開口部１１の端縁に沿って設けられる停止面（図示せず）上に位置することとなる。
【００３５】
こうして、スイングボルト２５が開口部２１、１１、２、２２を通して配置された後、ナット３２が、ねじ山を備えたスイングボルト２５の端部３０に螺着される。ここで、ナット３２は所定のトルクで締められる。こうして、特定の種類の剪断機に適した付勢力を剪断ブレード５、６に加えることができる。締められた状態では、剪断ブレード５、６は、スイングボルト２５の拡張部分２７とナット３２とによってそれぞれ囲まれる。この発明に従ったスイングボルト構造２５が剪断ブレード５、６に直接係合し、このため他のいずれの部分（たとえば、ホルダのフォークの部分）もクランプされないので、ナットに加えられるトルクは、剪断ブレードに対する所望の付勢力に最適に変換される。
【００３６】
特に図４から分かるように、好ましい実施例においては、移行部３７は、拡張部分２７とスイングボルト２５の比較的狭い長手の部分２６との間における移行の位置において実質的に直線的な形をとる。しかしながら、別の実施例においては、たとえば図５に示されるように、移行部３９は円錐形を有する。ここで、移行部３９の形は、剪断ブレード６における開口部１１に沿って延在する移行部に適合される。
【００３７】
同様の態様で、ナット３２は、図４に図示のとおり直線的な移行部３８、または図５に図示のとおり円錐形の移行部４１を備え得る。それぞれの移行部３８、４１の形は、もう一方の剪断ブレード５の開口部１１の直線的または円錐形に延在する端縁部分に適合される。
【００３８】
円錐形の移行部３９、４１を備えた実施例においては、当該移行部は、一方上のスイングボルトおよびナットと、他方上の剪断ブレード５、６との間において、円錐形に先細になっている２つの接触面を備える。ここで付勢力が、ボルト頭部２７およびナット３２の円錐形の２つの接触面を介して回動可能部分５、６に対してある角度をなして伝えられ、これにより、より大きな付勢力を得ることが可能となり得る。
【００３９】
スイングボルト２６上にナット３２をロックするために、図示される実施例は特別なロッキング構造を提供する。ロック前の状態が図３Ａに示され、ロックされた状態が図３Ｂおよび図３Ｃに示される。上述のように、スイングボルト２６は、たとえば６つの突起６１（図３Ａ）で形成される星型のロッキング要素４９を外端部３０上に備える。ナット３２は同様にいくつかの突起３４を備え、それらの間に凹部が規定される。ナット３２がトルクレンチで十分に締められて、剪断ブレード５、６に対する所望の付勢力が確実にされると、ナット３２は、以下の態様でスイングボルト２６に対してロックされる。
【００４０】
内部嵌合形状５７および外歯４４を備えた内側のリング４３は、星型のロッキング要素４９上にぴったりと合わせて配置される。次いで、内側のリング４３の周りに外側のリング４０が配置され、その内歯５８は、内側のリング４３の外歯４４と一致する。外側のリング４０は、ナット３２の上部側における上述の凹部に嵌合する外側の突出部４２を備え
る。
【００４１】
ロッキング構造は、スイングボルト２５上のロッキング要素４９と内側のロッキングリング４３と外側のロッキングリング４０とナット３２における取付部との間、すなわち、突出部３４とナット３２の上部側にあり当該突出部３４に一致する凹部との間に、予め定められた最小限の遊びを設けるように形成される。
【００４２】
この遊びは、たとえばＳ度の値を有し、たとえばＳ＝１．５度である。ロッキングリング４０、４３にはさらに歯が形成され、これにより、ロッキングリングは相対的にロックされ得る。Ｎ個の歯が用いられ、当該歯が、完全な１回転をＸ１（＝３６０／Ｎ）度に分割する。たとえば、Ｎ＝６７であれば、Ｘ１＝５．３７度である。ナット３２における取付部に関して、大きなロッキングリング４０がＸ２の位置に装着され得る。図示される実施例においては、大きなロッキングリング４０が、Ｘ２＝６となるように６つの位置に装着され得る。ここで、小さなロッキングリング４３の外歯４４および大きなロッキングリング４０の内歯５８の歯の数が、Ｎ＝ｋ＋複数のＸ２に等しくなるよう選択されると、結果として、大きなロッキングリング４０をＸ２のうちの１つの位置を通して回転させた場合、歯が、Ｘ（＝ｋ*Ｘ１／Ｘ２）度だけ有効に移動する。この場合、ｋは整数でなければならず、−Ｘ２／２＜ｋ＜＋Ｘ２／２となる。ｋ＝１である場合、これはＸ＝０．８９度に対応する。ＸがＳよりも小さくない場合、これは、ロッキングリングがボルト２５に対してナット３２の実質的に任意のランダムな位置に嵌合することを意味する（Ｘ＝０．８９度はＳ＝１．５度よりも小さい）。これにより、ナットは、正確に所望のトルクに設定されれば、常にロック可能となる。
【００４３】
スイングボルト構造２５が上述の態様で配置され、ナット３２が上述の態様でスイングボルト２６に対してロックされると、２つのガード５０、５１が最終的にホルダの両側に配置される。この目的で、ガード５０、５１は長手方向の端縁５２を備え、当該長手方向の端縁５２は、フォークの下方部分１９および上方部分２０のそれぞれの底部端縁に沿って横方向に摺動し得る。図１は、ガード５０、５１がまだ装着されていない状態を示す。ガードが図１に示される位置で矢印Ｐ3の方向にずらされると、これらガードは、下方部分１９および上方部分２０の外端部にわたって容易に摺動し得る。使用中にガードが常に適所に留まることを確実にするために、これらガードはまたロックされ得る。ガード５０、５１は、この目的で、ロッキングねじ４６が配置され得る開口部５３を備える。ロッキングねじ４６は、スイングボルト頭部２７において、かつロッキング要素４９に近接したスイングボルトの外端部において設けられた対応する開口部４７にロックしてねじ込むことができる。しかしながら、ホルダ上にガードをロックする他の方法も想定可能である。
【００４４】
図３Ａ、図３Ｂおよび図３Ｃに示される実施例においては、内側のリング４３および外側のリング４０が設けられている。別の実施例（図示せず）においては、内側のリング４３は、ロッキング要素４９ではなく、スイングボルトの外端部と一体的に形成される。この実施例においては、ロッキングリングは１つしかない。ナット３２をロックする態様は上述の態様と一致する。別個の内側のリング４３を備えた上述の実施例は、製造がかなり容易であるという利点を有する。
【００４５】
この発明に従ったスイングボルト構造は、以下に記載される態様で適用される。ナットを所望のトルクで締めた後、第１のロッキングリングがスイングボルトの突出た部分上に配置され得る。次いで、第２のロッキングリングは、第２のロッキングリングの内歯が第１のロッキングリングの外歯のどこかに係合し、同時に、第２のロッキングリングの突出た部分がナットの凹部に嵌合するように、配置され得る。当然、ナットの位置はここでは影響を受けないはずである。以前のロッキング構造においては、歯の数およびナットに対する係合の箇所はランダムに選択されており、これにより、第２のロッキングリングが必
ずしも嵌合しない可能性がある。この発明に従うと、まさにこのような理由で、常に整数ずつ増大または低減するナットにおける複数の数の凹部である歯が選択される。これにより、第２のロッキングリングの外側の突起がナットの凹部に嵌合し、同時に、第１および第２のロッキングリングの歯が互いに嵌合する位置を見出すことが実質的に常に可能となる。この態様では、ナットは、不所望な緩みを防ぐために、完全にぴったりと嵌合する態様でロックされる。当該ロッキングリングは、第２のロッキングリングの外側の突起がナットの外側にわずかに突出ることを可能にすることによって単純な態様で取外すことができる。加えて、第２のロッキングリングは、結果として、ソケットレンチが交換され得る前にまず取外されなければならない。これは、論理的で安全な方法を必要とする。
【００４６】
この発明は、この明細書中に記載されるこの発明の好ましい実施例に限定されない。上述のとおり、上述の液圧剪断機に加えて、この明細書中に記載される工具は、たとえば、延展および切断がともに可能な延展機または組合された装置を含む。求められる権利は、多くの変更例が想定され得る範囲内で、添付の特許請求の範囲によって規定される。
【図面の簡単な説明】
【００４７】
【図１】１対の液圧剪断機におけるスイングボルト構造の好ましい実施例を示す分解斜視図である。
【図２】スイングボルト構造の好ましい実施例を示す分解図である。
【図３Ａ】図１の好ましい実施例のロッキングを、それぞれロックされていない状態とロックされた状態とで示す詳細な斜視図である。
【図３Ｂ】図１の好ましい実施例のロッキングを、それぞれロックされていない状態とロックされた状態とで示す詳細な斜視図である。
【図３Ｃ】図３Ｂに示されるロックされた状態におけるロッキングを示す上面図である。
【図４】図１〜図３に示される好ましい実施例を示す詳細図である。
【図５】スイングボルトおよびナットの面取りされた接触面を備えた別の好ましい実施例を示す詳細図である。
【図１】
2008530478.tif 000003
【図２】
2008530478.tif 000004
【図３Ａ】
2008530478.tif 000005
【図３Ｂ】
2008530478.tif 000006
【図３Ｃ】
2008530478.tif 000007
【図４】
2008530478.tif 000008
【図５】
2008530478.tif 000009
【国際調査報告】
2008530478.tif 000010
2008530478.tif 000011
2008530478.tif 000012
2008530478.tif 000013
2008530478.tif 000014